(57)【要約】  本発明は歯磨きに関し、より詳しくは歯ブラシを上歯は上から下へ、下歯は下から上へ動かすようにする方法に関する。このため、本発明は取っ手を握力器（握力を鍛えるための運動器具）運動をするように握ったり放したりすることによってラックギアの直線運動が回転運動に変わって歯ブラシが０度から１８０度に回転され、ラックギアと回転変換フレームを利用して回転方向を変えることができるという特徴がある。回転軸の歯車がラックギアから離脱されないように引張スプリングを回転軸に掛けて回転軸を回転変換フレームに固定させ、トーションスプリングの弾性によって取っ手とラックギアを原位置に戻し、歯ブラシ固定フレームは歯ブラシを簡便に交換することができ、揺れないように支持する特徴がある。
2013517831.tif 000002
【特許請求の範囲】
【請求項１】
「
2013517831.tif 000003
」字状の取っ手（１）を二つ備え、一つは底部分に溝形のラックギア（１０）を溝の両側に対向するように形成し、他の一つは底部分に「
2013517831.tif 000004
」字状の溝形回転変換フレーム（１１）を形成し、回転軸固定フレーム（８）のボルト部分に両側の取っ手（１）とトーションスプリング（９）を結合させ、回転軸固定フレーム（８）の上部管には回転軸（３）が通過し、両側の取っ手（１）を握るとラックギア（１０）の直線運動が回転運動に変わって歯ブラシ（７）を回転させ、握っていた取っ手（１）を放すとトーションスプリング（９）の弾性によって原状態に戻り、回転変換フレーム（１１）を利用して回転方向を変えることができ、回転軸（３）の歯車（４）がラックギア（１０）から離脱されないように引張スプリング（２）を回転軸（３）に掛けて回転軸（３）を回転変換フレーム（１１）に固定させ、両側の取っ手（１）がこれ以上広がらないように係止突起（１２）を形成し、回転軸（３）がラックギア（１０）を通過して歯車（４）がラックギア（１０）に噛み合い、「
2013517831.tif 000005
」字状の溝形回転変換フレーム（１１）で回転軸（３）を「
2013517831.tif 000006
」字状に移動させると対向側のラックギア（１０）に歯車（４）が噛み合うようになることを特徴とする機械式歯ブラシ。
【発明の詳細な説明】
【技術分野】
【０００１】
本発明は歯磨きに関し、より詳しくは歯ブラシを上歯は上から下へ、下歯は下から上へ動かすようにする方法に関する。
【背景技術】
【０００２】
歯科病院に行くと医者は歯を磨く時、歯ブラシを上歯は上から下へ、下歯は下から上へ動かして磨くことが歯の健康に役に立つと言う。しかし、このような方法で歯ブラシを動かすことは簡単ではない。普段、歯ブラシを左右に直線に動かして磨く方法に慣れて、上下に磨く方法で磨くことに簡単に慣れないという問題点がある。
【発明の概要】
【発明が解決しようとする課題】
【０００３】
本発明は歯を磨く時、歯ブラシを上歯は上から下へ、下歯は下から上へ動かすようにして歯と歯との間の食べカスを簡単に除去し、歯ブラシを上下に動かす方法に簡単に慣れるようにすることを目的とする。
【課題を解決するための手段】
【０００４】
本発明は手で握力器（握力を鍛えるための運動器具）を握ったり放したりするように動かして歯ブラシ７を０度から１８０度に回転するようにした。歯ブラシ７を歯茎部分に位置させて回転させると歯ブラシ７が歯と歯との間を箒で掃くように擦れて行く。それで、歯ブラシ７が上から下へ、下から上へ動くのと同じ効果がある。両側の取っ手１を握るとラックギア１０の直線運動が回転運動に変わって歯ブラシ７を回転させ、握っていた取っ手１を放すとトーションスプリング９の弾性によって原状態に戻る。ラックギア１０を両側に設置し、回転変換フレーム１１に固定されている回転軸３を手で図１１の矢印のように移動させて左側や右側に固定して回転方向を変えることができる。回転軸３を左側に固定すると歯車４が左側ラックギア１０に噛み合って歯ブラシ７が左側に回転し、回転軸３を右側に固定すると歯車４が右側ラックギア１０に噛み合って歯ブラシ７が右側に回転する。この時、回転軸３に掛けられている引張スプリング２は歯車４が回転する時ラックギア１０から離脱されないように回転軸３を回転変換フレーム１１に固定させる役割を果たす。係止突起１２は両側の取っ手１がこれ以上広がらないように制御する役割を果たす。
【発明の効果】
【０００５】
本発明は歯を磨く時、歯ブラシを上歯は上から下へ、下歯は下から上へ動かすようにして歯と歯との間の食べカスを簡単に除去して、歯ブラシを上から下へ、下から上へ動かす方法に簡単に慣れることができる。
【図面の簡単な説明】
【０００６】
【図１】平面図である。
【図２】背面図である。
【図３】側面図である。
【図４】斜視図である。
【図５】拡大して示す右側面図である。
【図６】回転軸の歯車がラックギアに噛み合っている状態を拡大して示した内側から見た斜視図である。
【図７】両側の取っ手を握った時のラックギアが移動した状態を拡大して示した内側から見た斜視図である。
【図８】本発明に使われる部品図である。
【図９】回転軸の位置図である。
【図１０】トーションスプリングの位置図である。
【図１１】回転軸の移動を矢印で示した回転変換フレームの拡大図である。
【発明を実施するための形態】
【０００７】
以下、本発明を添付された図面を通じて詳しく説明する。
【０００８】
図１は取っ手１が握力器（握力を鍛えるための運動器具）のように両側にあり、回転軸３には引張スプリング２が掛けられている状態を示す。引張スプリング２は回転軸３の回転に影響を及ぼさない程度の弾性であり、回転軸３の歯車４がラックギア１０から離脱されないように回転変換フレーム１１に固定させる。図８は回転軸３、歯車４、歯車の断面図５、歯ブラシ固定フレーム６、歯ブラシ７、回転軸固定フレーム８、トーションスプリング９を示す図である。図９は回転軸３の位置図であり、図１０はトーションスプリング９の位置図である。図５は回転軸３の歯車４がラックギア１０に噛み合っており、回転軸３が回転変換フレーム１１に固定されている状態を示す。図１の状態で両側の取っ手１を握るとラックギア１０が直線に動いて回転軸３の歯車４が０度から１８０度に回転する。歯車４の回転は回転軸３に伝達されて回転軸３に固定されている歯ブラシ７を０度から１８０度に回転させる。握っていた取っ手１を放すとトーションスプリング９の弾性によって原位置に戻る。歯ブラシ７を歯茎部分に位置させて握力器（握力を鍛えるための運動器具）運動をするように取っ手１を握ったり放したりしながら歯を磨く。歯ブラシ７が歯と歯との間を箒で掃くように擦れて行く。図６は力を加えない状態を示す図であり、図７は両側の取っ手１を握った時のラックギア１０の動きを示す図である。握っていた取っ手１を放すと図６の状態に原位置される。歯ブラシ７の回転角度は両側の取っ手１を強く握るとたくさん回転し、ゆるく握ると少しだけ回転する。そして、歯の状態によって回転を任意に調整することができる。図１１は回転変換フレーム１１を拡大して示した図で、回転軸３を矢印のように手で任意に動かすことができる。より詳しくは、回転軸３を右側に位置させると歯ブラシ７が右側に回転し、回転軸３を左側に位置させると歯ブラシ７が左側に回転する。係止突起１２は両側の取っ手１がこれ以上広がらないように制御する役割を果たす。歯ブラシ固定フレーム６には用途によって他の器具を固定させて多目的に利用することができる。
【図１】
2013517831.tif 000007
【図２】
2013517831.tif 000008
【図３】
2013517831.tif 000009
【図４】
2013517831.tif 000010
【図５】
2013517831.tif 000011
【図６】
2013517831.tif 000012
【図７】
2013517831.tif 000013
【図８】
2013517831.tif 000014
【図９】
2013517831.tif 000015
【図１０】
2013517831.tif 000016
【図１１】
2013517831.tif 000017
【国際調査報告】
2013517831.tif 000018
2013517831.tif 000019
2013517831.tif 000020
2013517831.tif 000021